(57)【要約】【課題】ケーブルの接続及び取り外し作業が容易で、電気接続の信頼性に優れたコネクタの提供を目的とする。【解決手段】ケーブル接続用コネクタであって、ケーブルの芯線と電気接続するためのターミナル端子と、前記芯線をターミナル端子に向けて付勢するための弾性部材とを有し、前記弾性部材は弾性変形部と、芯線の側部に係止するための係止部を有し、前記弾性変形部を押圧することで前記係止部を解放状態に切り換えるためのレバー部材を有することを特徴とする。【選択図】  図１
2017073284.tif 000002
【特許請求の範囲】
【請求項１】
ケーブル接続用コネクタであって、
ケーブルの芯線と電気接続するためのターミナル端子と、前記芯線をターミナル端子に向けて付勢するための弾性部材とを有し、
前記弾性部材は弾性変形部と、芯線の側部に係止するための係止部を有し、
前記弾性変形部を押圧することで前記係止部を解放状態に切り換えるためのレバー部材を有することを特徴とするコネクタ。
【請求項２】
前記レバー部材は、回動可能に枢着してあるとともに、前記枢着部を回動中心にして一方に前記弾性変形部を押圧するための押圧部を有し、他方に回動操作するための操作部を有し、
前記操作部はコネクタに接続するケーブルの側部に沿って当該ケーブルと干渉することなく回動操作可能になっていることを特徴とする請求項１記載のコネクタ
【請求項３】
前記弾性変形部と前記係止部とは折り曲げ部を介して略Ｌ字形状に形成してあり、
前記レバー部材の押圧部は係止部の解放状態で前記折り曲げ部付近に当接するものであり、レバー部材の操作により前記係止状態と解放状態に切り換える際に、クリック操作感が生じるものであることを特徴とする請求項２記載のコネクタ。
【発明の詳細な説明】
【技術分野】
【０００１】
本発明は、ケーブルを電気接続するためのコネクタに関し、特にケーブルの芯線の係止構造に係る。
【背景技術】
【０００２】
ケーブルの芯線を差し込み、ターミナル端子等と電気接続するコネクタの分野においては、ターミナル端子と弾性係止部材とでケーブルの芯線を挟持し、ケーブルを取り外す際には弾性係止部材を押圧解放することが必要であり、例えば特許文献１は、くさび部に芯線を差し込み、芯線を取り外す場合にはリバースノブを下方に押し込むことで、くさび部を押し下げ、係止状態を解除する端子台が開示されている。
しかし、同公報に開示するケーブルの芯線の係止構造では、くさび部の係止力に抗した力で芯線を差し込む必要があり、また芯線との係止を解除する場合には、リバースノブをその付勢力に抗して押圧し続けなければならず、大変であった。
特に複数のケーブルを電気接続する場合には、一括して結線したり取り外しができないものであった。
【先行技術文献】
【特許文献】
【０００３】
【特許文献１】特開平９−２４５８６２号公報
【発明の概要】
【発明が解決しようとする課題】
【０００４】
本発明は、ケーブルの接続及び取り外し作業が容易で、電気接続の信頼性に優れたコネクタの提供を目的とする。
【課題を解決するための手段】
【０００５】
本発明に係るコネクタは、ケーブル接続用コネクタであって、ケーブルの芯線と電気接続するためのターミナル端子と、前記芯線をターミナル端子に向けて付勢するための弾性部材とを有し、前記弾性部材は弾性変形部と、芯線の側部に係止するための係止部を有し、前記弾性変形部を押圧することで前記係止部を解放状態に切り換えるためのレバー部材を有することを特徴とする。
これにより、レバー部材の操作により、係止部が芯線の側部に係止する係止状態と、この係止部が芯線の側部から離れる解放状態に切り換えることができる。
なお、弾性変形部は、係止部が芯線の側部に係止する方向に弾性付勢するものであれば、その構造に制限はない。
【０００６】
本発明において、レバー部材は、回動可能に枢着してあるとともに、前記枢着部を回動中心にして一方に前記弾性変形部を押圧するための押圧部を有し、他方に回動操作するための操作部を有し、前記操作部はコネクタに接続するケーブルの側部に沿って当該ケーブルと干渉することなく、回動操作可能になっていてもよい。
このようにすると、レバー部材がケーブルに妨げられることなく回動操作できる。
【０００７】
本発明において、弾性変形部と前記係止部とは折り曲げ部を介して略Ｌ字形状に形成してあり、前記レバー部材の押圧部は係止部の解放状態で前記折り曲げ部付近に当接するものであり、レバー部材の操作により前記係止状態と解放状態に切り換える際に、クリック操作感が生じるものであってもよい。
ここで、クリック操作感とは、レバー部材の回動操作により押圧部が回動することで略Ｌ字形状の折り曲げ部に当接する押圧部の位置が切り換わることで、その感触がレバー部材の操作部を介して操作者にフィードバックされることをいう。
【発明の効果】
【０００８】
本発明に係るコネクタは、レバー部材の操作により芯線の係止状態と解放状態に切り換えることができ、この切り換えた状態がそのまま維持されるので、ケーブルの芯線の挿入差し込み及び引き抜き取り外し作業が容易である。
また、複数の局数を有するケーブル接続において、一括した結線作業又は取り外し作業が可能になる。
【図面の簡単な説明】
【０００９】
【図１】本発明に係るコネクタの構造例を示し、（ａ）はケーブルの接続前、（ｂ）はレバー部材の操作により係止部を解放状態にした状態、（ｃ）はケーブルの接続状態を示す。
【図２】図１（ａ）〜（ｃ）に対応させたコネクタの外観図を示す。
【図３】図１（ａ）〜（ｃ）に対応させた弾性部材とレバー部材との位置関係を示す。
【図４】係止部を解放状態にし、ケーブルの芯線を挿入した状態を示す。
【図５】本発明のコネクタに係る部品構成図を示す。
【図６】コネクタの外観斜視図を示す。
【図７】複数のコネクタを連結した状態を示す。
【発明を実施するための形態】
【００１０】
本発明に係るケーブル接続用のコネクタの構造例を以下図面に基づいて説明するが、本発明はこれに限定されない。
【００１１】
図１に本発明に係るコネクタのハウジング１０の内部構造例を示し、図２に外観図、図３に図１（ａ）〜（ｃ）に対応させたターミナル端子２０，弾性部材３０，レバー部材４０及びケーブルの位置関係を斜視図で示す。
また、図４に図１（ｂ）に対応させた断面図を示す。
【００１２】
樹脂成形品であるハウジング１０に、ケーブル１及びその芯線１ａの挿入孔１１を形成し、これに対応させてハウジング１０の内部にターミナル端子２０と、弾性部材３０を装着してある。
ターミナル端子２０は、他の電源部や電気・電子機器に電気接続するためのものであり、芯線１ａと接触するベース部２１と接続端子部２４を有し、本実施例では図３に示すようにベース部２１から側壁部２３と、この側壁部２３に対向配置した弾性接触側片２３ａを形成し、その間に芯線１ａを差し込む構造例になっている。
また、芯線１ａの差し込み深さを制限するための前壁部２２を立設した例になっている。
本発明においては、ターミナル端子２０はケーブルとの電気接続を目的とするためのものであり、その構造に制限はない。
【００１３】
弾性部材３０は、ケーブルの芯線１ａをターミナル端子２０に向けて弾性係止するためのものである。
弾性部材３０は、ターミナル端子２０のベース部２１の下面とハウジングとで挟持するように、ハウジング１０の装着部１３に装着した基部３１と、この基部３１の先端部から下側、挿入孔１１側に向けて折り返した弾性変形部３２を有する。
この弾性変形部３２の先端側は、折り曲げ部３３を介して略Ｌ字形状に上方側に延在させた係止片３４を有する。
本実施例では、図３に示すように係止片３４の略中央部を略ロ形状に切り抜いて、芯線の挿入部３５を形成し、この挿入部３５の開口上縁部に係止部３４ａを設けた例になっている。
なお、この係止部３４ａが芯線１ａの側部に係止し、ターミナル端子側に向けて付勢係止するものであれば、係止片及び係止部の構造に制限はない。
【００１４】
上記弾性部材３０の弾性変形部３２を下側から上方に向けて押圧操作するためのレバー部材４０をハウジング１０側に枢着してある。
レバー部材４０は、図２及び図３に示すようにハウジング１０の内側に形成した凹部状の枢着部１２に押し込むように枢着した枢着軸４３を中心に上下方向に回動操作できるようになっている。
レバー部材４０は、枢着軸４３を回動中心にして一方側に押圧部４１を有し、他方に操作部４２を有する。
なお、本実施例では、押圧部４１と操作部４２とが略Ｌ字形状に形成されているが、Ｌ字形状に限定されない。
これにより、本実施例のコネクタは、図５に示すようにハウジング１０の組み込み孔１８からレバー部材４０の操作部４２が外側に出るようにハウジングの枢着部１２にレバー部材４０の枢着軸４３を枢着し、弾性部材３０及びターミナル端子２０を順次組み付けるだけで簡単に組み立てることができ、コンパクトである。
その外観図を図６に示す。
ハウジング１０には、ケーブルの接続を確認できるように確認窓１７を設けてある。
【００１５】
次にケーブルのコネクタへの接続及び取り外しについて説明する。
図１（ａ）に示すようにケーブル１の接続前は、弾性部材３０の弾性変形部３２が下方に向けて弾性復帰した状態になっている。
この状態では、レバー部材４０の押圧部４１の上側当接部４１ｂと弾性部材３０の折り曲げ部３３の下側が弾性接触している。
また、押圧部４１の下側当接部４１ｃは、ハウジング１０の底部の保持部１５にて支えられ、レバー部材４０の操作部４２が起立した状態になっている。
このようにレバー部材４０は、ケーブル１の側部に沿って上下方向に回動するので、ケーブルをハウジング１０の挿入孔１１に挿入したままレバー部材の回動操作ができるので、操作性に優れる。
次に、レバー部材４０の操作部４２を図１では右廻りに回動操作すると、図１（ｂ）に示すように押圧部４１が折り曲げ部３３を介して弾性変形部３２を上方に向けて押し上げる。
この際に、押圧部４１と折り曲げ部３３との接触位置が上側当接部４１ｂから押圧部４１の先端部に設けた斜面状の押圧当接部４１ａに切り換わるので、レバー部材４０の操作にクリック感が生じる。
また、係止片３４は、先端側の自由端部３４ｂがハウジング１０に形成した斜面状のガイド部１６に沿って移動する。
このガイド部１６は必ずしも必要ではないが、このようにハウジングのケーブルの挿入孔１１側から上部，外側のケーブル接続の確認窓１７側に向けて傾斜させた斜面部を設けることで、係止片３４の移動が安定する。
このような解放状態では図３（ｂ）に示すように、係止片３４に設けた挿入部３５が上方側に移動し、その係止部３４ａが上方に位置する。
この解放状態では、芯線１ａが係止部３４ａに干渉することなく、差し込むことができる。
また、解放状態が維持できるように図４に示すように、ハウジング側に回動規制部１４を形成し、この部分に押圧部４１の上面側を当接させることで弾性部材３０の折り曲げ部３３にて押圧当接部４１ａが押圧された状態で安定する。
次に、図１（ｃ）に示すようにレバー部材４０の操作部４２を起立方向に戻す際に、押圧部４１の押圧当接部４１ａが折り曲げ部３３から回転するように離れ、クリック感が生じる。
これにより、図１（ｃ），図３（ｃ）に示すように芯線１ａが係止部３４ａにて係止され、芯線１ａの抜け止めとなる。
【００１６】
本発明に係るコネクタは、図７に示すように連結部１９にて複数連結可能であり、複数のケーブルを一括して接続したり、取り外すこともできる。
【符号の説明】
【００１７】
１        ケーブル
１ａ      芯線
１０      ハウジング
１１      挿入孔
１２      枢着部
１３      装着部
１４      回転規制部
１５      保持部
１６      ガイド部
１７      確認窓
２０      ターミナル端子
３０      弾性部材
３１      基部
３２      弾性変形部
３３      折り曲げ部
３４      係止片
３４ａ    係止部
４０      レバー部材
４１      押圧部
４１ａ    押圧当接部
４２      操作部
４３      枢着軸
【図１】
2017073284.tif 000003
【図２】
2017073284.tif 000004
【図３】
2017073284.tif 000005
【図４】
2017073284.tif 000006
【図５】
2017073284.tif 000007
【図６】
2017073284.tif 000008
【図７】
2017073284.tif 000009